(57)【要約】【課題】側方かつ複数の方向から内部のねじ締めが可能な筐体を提供する。【解決手段】筐体５は、取り付け面に取り付け可能な第一部材１０と、第一部材１０に取り付け可能であって、内部に空間Ｓを有し、少なくとも一つの開口部Ｐが形成された第二部材２０と、第一部材１０に配された第一固定部４１と、第二部材２０に配され、固定ねじにより第一固定部４１に取り付けられる第二固定部４２と、を備え、開口部Ｐは、外部から第一固定部４１の両側に対してアクセス可能に第二部材２０の側面２２，２３に形成され、第一固定部４１は、前記固定ねじを螺合可能な第一ねじ孔１３と、前記固定ねじを挿通可能な第一ねじ挿通部１４と、を備え、第二固定部４２は、第一ねじ孔１３と同軸に形成されて前記固定ねじを挿通可能な第二ねじ挿通部２８と、第一ねじ挿通部１４と同軸に形成されて前記固定ねじを螺合可能な第二ねじ孔２７と、を備えている。【選択図】図４
2018133970.tif 000002
【特許請求の範囲】
【請求項１】
取り付け面に取り付け可能なベース部と、
前記ベース部に取り付け可能であって、内部に空間を有し、少なくとも一つの開口部が形成された本体部と、
前記ベース部に配された第一固定部と、
前記本体部に配され、固定ねじにより前記第一固定部に取り付けられて前記本体部を前記第一固定部に連結する第二固定部と、を備え、
前記開口部は、外部から前記第一固定部の両側に対してアクセス可能に前記本体部の側面に形成され、
前記第一固定部は、前記固定ねじを螺合可能な第一ねじ孔と、前記固定ねじを挿通可能な第一ねじ挿通部と、を備え、
前記第二固定部は、前記第一ねじ孔と同軸に形成されて前記固定ねじを挿通可能な第二ねじ挿通部と、前記第一ねじ挿通部と同軸に形成されて前記固定ねじを螺合可能な第二ねじ孔と、を備えていることを特徴とする筐体。
【請求項２】
取り付け面に取り付け可能なベース部と、
前記ベース部に取り付け可能であって、内部に空間を有し、少なくとも一つの開口部が形成され、かつ所定の機能を有する取付機能部と、
前記ベース部に配された第一固定部と、
前記取付機能部に配され、固定ねじにより前記第一固定部に取り付けられて前記取付機能部を前記第一固定部に連結する第二固定部と、を備え、
前記開口部は、外部から前記第一固定部の両側に対してアクセス可能に前記取付機能部の側面に形成され、
前記第一固定部は、前記固定ねじを螺合可能な第一ねじ孔と、前記固定ねじを挿通可能な第一ねじ挿通部と、を備え、
前記第二固定部は、前記第一ねじ孔と同軸に形成されて前記固定ねじを挿通可能な第二ねじ挿通部と、前記第一ねじ挿通部と同軸に形成されて前記固定ねじを螺合可能な第二ねじ孔と、を備えていることを特徴とする機能ボックス。
【請求項３】
前記取付機能部は、
内部に前記空間を有し、少なくとも一つの前記開口部が形成された筐体本体部と、
前記所定の機能を有する機能本体部と、
を備え、
前記第二固定部は前記筐体本体部に配され、
前記開口部は前記筐体本体部の側面に形成されていることを特徴とする請求項２に記載の機能ボックス。
【請求項４】
前記取付機能部は、
内部に前記空間を有し、少なくとも一つの前記開口部が形成された筐体本体部と、
前記所定の機能を有する機能本体部と、
を備え、
前記第二固定部は前記機能本体部に配され、
前記開口部は前記筐体本体部の側面に形成されていることを特徴とする請求項２に記載の機能ボックス。
【請求項５】
前記機能本体部はコンセント本体であることを特徴とする請求項２から請求項４の何れか一項に記載の機能ボックス。
【発明の詳細な説明】
【技術分野】
【０００１】
本発明は、什器等に設置及び固定され、コンセント等を接続可能なコンセントボックス等に適用可能な筐体および機能ボックスに関するものである。
【背景技術】
【０００２】
一般に、什器等に電気を供給するために、コンセントを接続可能に構成されたコンセントボックスを什器の取り付け面上に設けることがある。例えば、デスク装置の天板に設置されるコンセントボックスとして、筐体の互いに対向する両側面のそれぞれにコンセントを接続可能に構成されたものは、天板の中央付近に配設されることで両側面からコンセントを利用可能とし、便利である。
【０００３】
コンセントボックスを什器の天板に固定する場合、先ず、筐体の底面を構成する第一部材を天板上に取り付け、該第一部材に筐体の側面を構成する第二部材を取り付けることがある（例えば、特許文献１，２参照）。そのような構造においては、第一部材に第二部材を取り付ける部分および第一部材に第二部材を取り付けるための固定ねじとを筐体の内部に配置し、筐体において互いに対向する側面に形成された開口部からねじ締めを行うことで、固定ねじがコンセントボックスの外側に現れず、コンセントボックスの美観性が高まる。
【先行技術文献】
【特許文献】
【０００４】
【特許文献１】特開２００８−０８４５５８号公報
【特許文献１】特開２０１７−００４８８９号公報
【発明の概要】
【発明が解決しようとする課題】
【０００５】
上述のようにコンセントボックスにおいて、開口部を介して筐体の内部の空間においてねじを締める場合、通常、互いに対向する側面に形成された筐体両側の開口部からねじ締めを行えばよい。しかしながら、コンセントボックスの設置箇所によっては、実際に筐体を取り付ける際になって初めて、筐体両側の開口部のうち片側からのみねじ締めが行えないとわかる場合があるという問題があった。このような問題は、任意の取り付け面に取り付け可能であって、少なくとも一つの開口部から筐体の内部でねじ締めを行う筐体および機能ボックスであれば、コンセントボックスに限らず、生じる問題であって、解決が望まれていた。
【０００６】
本発明は、上述の事情を鑑みてなされたものであり、筐体の側方かつ複数の方向から筐体の内部のねじ締めが可能な筐体および機能ボックスを提供する。
【課題を解決するための手段】
【０００７】
上述の目的を達成するために、本発明は以下の構成を採用している。
すなわち、本発明に係る筐体は、取り付け面に取り付け可能なベース部と、前記ベース部に取り付け可能であって、内部に空間を有し、少なくとも一つの開口部が形成された本体部と、前記ベース部に配された第一固定部と、前記本体部に配され、固定ねじにより前記第一固定部に取り付けられて前記本体部を前記第一固定部に連結する第二固定部と、を備え、前記開口部は、外部から前記第一固定部の両側に対してアクセス可能に前記本体部の側面に形成され、前記第一固定部は、前記固定ねじを螺合可能な第一ねじ孔と、前記固定ねじを挿通可能な第一ねじ挿通部と、を備え、前記第二固定部は、前記第一ねじ孔と同軸に形成されて前記固定ねじを挿通可能な第二ねじ挿通部と、前記第一ねじ挿通部と同軸に形成されて前記固定ねじを螺合可能な第二ねじ孔と、を備えていることを特徴とする。
【０００８】
上述の筐体によれば、本体部に形成された複数の開口部または一つの開口部における複数の方向から、本体部の内部にアクセス可能になるので、筐体の内部の空間における第一固定部と第二固定部とのねじ締めが従来のように決まった一つの方向からではなく、複数の方向から可能になる。
【０００９】
本発明に係る機能ボックスは、取り付け面に取り付け可能なベース部と、前記ベース部に取り付け可能であって、内部に空間を有し、少なくとも一つの開口部が形成され、かつ所定の機能を有する取付機能部と、前記ベース部に配された第一固定部と、前記取付機能部に配され、固定ねじにより前記第一固定部に取り付けられて前記取付機能部を前記第一固定部に連結する第二固定部と、を備え、前記開口部は、外部から前記第一固定部の両側に対してアクセス可能に前記取付機能部の側面に形成され、前記第一固定部は、前記固定ねじを螺合可能な第一ねじ孔と、前記固定ねじを挿通可能な第一ねじ挿通部と、を備え、前記第二固定部は、前記第一ねじ孔と同軸に形成されて前記固定ねじを挿通可能な第二ねじ挿通部と、前記第一ねじ挿通部と同軸に形成されて前記固定ねじを螺合可能な第二ねじ孔と、を備えていることを特徴とする。
【００１０】
上述の機能ボックスによれば、取付機能部に形成された複数の開口部または一つの開口部における複数の方向から取付機能部の内部にアクセス可能になるので、ベース部と取付機能部によって構成される筐体部分の内部の空間における第一固定部と第二固定部とのねじ締めが従来のように決まった一つの方向からではなく、複数の方向から可能になる。
【００１１】
上述の機能ボックスでは、前記取付機能部は、内部に前記空間を有し、少なくとも一つの前記開口部が形成された筐体本体部と、前記所定の機能を有する機能本体部と、を備え、前記第二固定部は前記筐体本体部に配され、前記開口部は前記筐体本体部の側面に形成されていてもよい。
【００１２】
上述の機能ボックスによれば、先ず、ベース部の底板を取り付け面に当接させて固定し、次いで筐体本体部をベース部に取り付けて筐体部分を組み立てる際に、筐体本体部の内部の空間における第一固定部と第二固定部とのねじ締めが従来のように決まった一つの方向からではなく、複数の方向から可能になる。これにより、筐体本体部をベース部に取り付ける作業が進めやすくなり、従来あったように実際に取り付ける際になって初めて、筐体部分の片側からのみしかねじ締めが行えないという状況が起こり難い。
【００１３】
上述の機能ボックスでは、前記取付機能部は、内部に前記空間を有し、少なくとも一つの前記開口部が形成された筐体本体部と、前記所定の機能を有する機能本体部と、を備え、前記第二固定部は前記機能本体部に配され、前記開口部は前記筐体本体部の側面に形成されていてもよい。
【００１４】
上述の機能ボックスによれば、先ず、ベース部の底板を取り付け面に当接させて固定し、次いで筐体本体部をベース部に取り付けて筐体部分を組み立てる際に、筐体本体部の内部の空間において第一固定部と機能本体部の第二固定部とのねじ締めが従来のように決まった一つの方向からではなく、複数の方向から可能になる。これにより、機能本体部をベース部に取り付ける作業が進めやすくなり、従来あったように実際に取り付ける際になって初めて、筐体部分の片側からのみしかねじ締めが行えないという状況が起こり難い。
【００１５】
上述の機能ボックスでは、前記機能本体部はコンセント本体であってもよい。
【００１６】
上述の機能ボックスは所謂コンセントボックスとして機能し、筐体の側方かつ複数の方向から筐体の内部のねじ締めが可能になる。
【発明の効果】
【００１７】
本発明に係る筐体および機能ボックスによれば、筐体の側方かつ複数の方向から筐体の内部のねじ締めを行うことができる。
【図面の簡単な説明】
【００１８】
【図１】本発明に係るコンセントボックス（機能ボックス）の第一実施形態を示す斜視図である。
【図２】本発明に係るコンセントボックスの第一実施形態を示す分解斜視図である。
【図３】本発明に係るコンセントボックスの第一実施形態の部材を示す平面図であり、（ａ）は天板を除く第二部材の構成を示す図であり、（ｂ）は第一部材の構成を示す図である。
【図４】本発明に係るコンセントボックスの第一実施形態の取り付け方法を説明するための平面図である。
【図５】本発明に係るコンセントボックスの別の実施形態の部材を示す平面図であり、（ａ）は第二部材の構成を示す図であり、（ｂ）は第一部材の構成を示す図である。
【図６】本発明に係るコンセントボックスの別の実施形態の部材を示す平面図であり、（ａ）は第二部材の構成を示す図であり、（ｂ）は第一部材の構成を示す図である。
【図７】本発明に係るコンセントボックスの別の実施形態の部材を示す平面図であり、（ａ）は第二部材の構成を示す図であり、（ｂ）は第一部材の構成を示す図である。
【図８】本発明に係るコンセントボックスの別の実施形態の部材を示す平面図であり、（ａ）は第二部材の構成を示す図であり、（ｂ）は第一部材の構成を示す図である。
【図９】本発明に係るコンセントボックスの別の実施形態の部材を示す平面図である。
【発明を実施するための形態】
【００１９】
以下、本発明を適用した実施形態について、図面を参照して説明する。なお、以下の説明で用いる図面は模式的なものであり、長さ、幅、及び厚みの比率等は実際のものと同一とは限らず、適宜変更することができる。
【００２０】
図１に示すように、本発明を適用したコンセントボックス（機能ボックス）１は、机等の什器の天板１００の上面（取り付け面）１００ａに設置可能なコンセントボックスであって、内部に空間Ｓを有し、少なくとも一つの開口部Ｐが形成された筐体（または、筐体部分ともいう）５と、開口部Ｐに取り付けられたコンセント本体３０と、筐体５の内部に配されて筐体５に固定された第一固定部と、該第一固定部に固定ねじにより取り付けられた第二固定部と、を備えている。
【００２１】
（第一実施形態）
コンセントボックス１の第一実施形態であるコンセントボックス１Ａは、図２に示すように、筐体５を構成する部材として、第一部材（ベース部）１０と、第二部材（本体部、取付機能部、筐体本体部）２０と、を備えている。
【００２２】
図２および図３（ｂ）に示すように、第一部材１０は、天板１００の上面１００ａに取り付け可能な底板１１を有する。また、第一部材１０には、第一固定部４１が固定されている。具体的には、第一部材１０は、平面視において中央付近に電源ケーブルＣ等を挿通させるための挿通孔１７及び底板１１を天板１００の上面１００ａに上方からねじ締めを行うためのねじ挿通部１８が形成された平面視直方形状の底板１１と、底板１１の長手方向の両側端部から上方に向けて立設された第一固定部４１，４１と、を備えている。
【００２３】
図２の紙面手前側の第一固定部４１Ａ及び同紙面奥側の第一固定部４１Ｂには、それぞれ底板１１の長手方向に沿って二箇所にねじ締め部１２が設けられている。すなわち、第一部材１０には、四箇所のねじ締め部１２が設けられている。四箇所のねじ締め部１２の各々には、固定ねじＢ１または固定ねじＢ２を螺合可能な第一ねじ孔１３と、固定ねじＢ１または固定ねじＢ２を挿通可能な第一ねじ挿通部１４が設けられている。
【００２４】
第一実施形態の第二部材２０Ａは、平面視直方形状の天板２１と、天板２１の長手方向の両側端部から下方に向けて延び、互いに対向する側板２２Ａ，２２Ｂと、天板２１の長手方向に直交する方向の両側端部から下方に向けて延び、互いに対向する側板２３Ａ，２３Ｂと、を備えている。図１に示す筐体５は、第一部材１０の底板１１、第二部材２０Ａの側板２２Ａ，２２Ｂ，２３Ａ，２３Ｂ、および天板２１によって構成されている。
【００２５】
第二部材２０Ａの天板２１及び側板２２Ａ，２２Ｂ，２３Ａ，２３Ｂによって囲まれている空間Ａ内には、第二固定部４２Ａが配設されている。具体的には、側板２３Ａ，２３Ｂのそれぞれの内側の面には、側板２３Ａ，２３Ｂの両側端部（すなわち、鉛直方向の両側端部）から所定の間隔だけ幅方向中央寄りの位置に、側板２２Ａ，２２Ｂに平行して空間Ｓに突出する第二固定部４２が設けられている。すなわち、第二部材２０Ａは、合計四つの第二固定部４２を備えている。第二固定部４２の下部は、第二固定部４２の中央部や上部よりも天板２１の長手方向に沿って所定の大きさで延出している。各々の第二固定部４２において前述のように天板２１の長手方向に沿って延出している部分には、第一部材１０のねじ締め部１２に対応するねじ締め部２５が設けられている。図３（ａ）に示すように、各々の第二固定部４２において前述のように天板２１の長手方向に沿って延出している部分は、第二部材２０Ａの外方から開口部Ｐ１，Ｐ２の両方を通じてアクセス可能に配されている。
【００２６】
上述のように第二部材２０Ａには、四箇所のねじ締め部２５が設けられている。四箇所のねじ締め部２５の各々には、第一ねじ挿通部１４と同軸に形成されて固定ねじＢ１または固定ねじＢ２を螺合可能な第二ねじ孔２７と、第一ねじ孔１３と同軸に形成されて固定ねじＢ１または固定ねじＢ２を挿通可能な第二ねじ挿通部２８が設けられている。
【００２７】
第一固定部４１および第二固定部４２の各々の形状や平面視での厚みは、第一ねじ孔１３および第二ねじ孔２７に固定ねじＢ１または固定ねじＢ２をねじ締めした際に固定ねじＢ１，Ｂ２が充分に安定するように適切に調整されている。
【００２８】
第二部材２０Ａの側板２２Ａ，２２Ｂの各々には開口部Ｐが形成され、側板２２Ａ，２２Ｂの長手方向の両側方には、ねじ孔２９，２９が形成されている。
【００２９】
コンセント本体（取付機能部、機能本体部）３０は、コンセントの差し込み口３１が設けられたコンセント部３２と、差し込み口３１の正面視外方に設けられた取り付け部３３と、を備えている。取り付け部３３には、ねじ孔２９と同軸に形成されて固定ねじＢ４を挿通可能なねじ挿通部３４が二箇所に形成されている。
【００３０】
コンセントボックス１Ａは、コンセント本体３０に嵌めてコンセント本体３０をカバーするカバー部材５０をさらに備えている。コンセント本体３０には、コンセント本体３０の取り付け部３３において第二部材２０Ａに取り付けられた際に第二部材２０Ａの外側に突出するコンセント部３２が嵌合可能な開口部Ｑが形成されている。
【００３１】
コンセントボックス１Ａを実際に什器の天板１００の上面１００ａに取り付ける際には、先ず、第一部材１０を天板１００の上面１００ａに配置し、固定ねじＢ３をねじ挿通部１８に挿通させると共に、天板１００の上面１００ａに形成されているねじ孔１０２にねじ締めする（図２参照）。
【００３２】
次に、図４に示すように、第一部材１０に第二部材２０Ａを被せるように配置し、第一固定部４１Ａの内部の空間Ｓ側（すなわち、内側）に第二固定部４２Ａ，４２Ｂを当接させると共に、第一固定部４１Ａの内部の空間Ｓ側（すなわち、内側）に第二固定部４２Ａ，４２Ｂを当接させる。
【００３３】
次に、第二部材２０Ａの外方から開口Ｐ１または開口Ｐ２を通して合計四箇所のねじ締め部１２，２５のねじ締めを行う。
具体的には、第一固定部４１Ａのねじ締め部１２（すなわち、第二固定部４２Ａ，４２Ｂのねじ締め部２５）に対し、第二部材２０Ａの外方から開口Ｐ１を通して第一ねじ挿通部１４に固定ねじＢ１（図４では実線にて図示）を挿通させ、第二ねじ孔２７にねじ締めすると共に、第一固定部４１Ｂのねじ締め部１２（すなわち、第二固定部４２Ｃ，４２Ｄのねじ締め部２５）に対し、第二部材２０Ａの外方から開口Ｐ１を通して第二ねじ挿通部２８に固定ねじＢ２（図４では実線にて図示）を挿通させ、第一ねじ孔１３にねじ締めする。
あるいは、第一固定部４１Ａのねじ締め部１２（すなわち、第二固定部４２Ａ，４２Ｂのねじ締め部２５）に対し、第二部材２０Ａの外方から開口Ｐ２を通して第二ねじ挿通部２８に固定ねじＢ１（図４では二点鎖線にて図示）を挿通させ、第一ねじ孔１３にねじ締めすると共に、第一固定部４１Ｂのねじ締め部１２（すなわち、第二固定部４２Ｃ，４２Ｄのねじ締め部２５）に対し、第二部材２０Ａの外方から開口Ｐ２を通して第一ねじ挿通部１４に固定ねじＢ２（図４では二点鎖線にて図示）を挿通させ、第二ねじ孔２７にねじ締めする。
【００３４】
次に、什器の天板１００の下方から電源ケーブルＣを第一部材１０の挿通孔１７に挿通させ、筐体５の内部の空間Ｓに導く。その後、空間Ｓに導いた電源ケーブルＣにコンセント本体３０のコンセント部３２を接続しながら、二つのコンセント本体３０（図２では、二つのコンセント部３２のうち一方を省略）の各々の取り付け部３３を第二部材２０Ａの開口部Ｐ１，Ｐ２にそれぞれ固定ねじＢ４をねじ挿通部３４に挿通させると共に、第二部材２０Ａの側板２２Ａ，２２Ｂに形成されているねじ孔２９にねじ締めする（図２参照）。
【００３５】
最後に、カバー部材５０の開口部Ｑを第二部材２０Ａの側板２２Ａ，２２Ｂの各々から外方にやや突出しているコンセント本体３０のコンセント部３２に嵌めてカバー部材５０を筐体５に取り付ける。
以上の作業により、図１に示すコンセントボックス１Ａが取り付け完了となる。
【００３６】
以上説明した第一実施形態のコンセントボックス１Ａでは、第一固定部４１と第二固定部４２によって構成されるねじ締め部１２，２５の各々において、開口部Ｐ１側に第一ねじ挿通部１４または第二ねじ挿通部２８が配置され、それらのねじ挿通部と同軸に形成されると共に、開口部Ｐ２側に第二ねじ孔２７または第一ねじ孔１３が配置されている組み合わせと、開口部Ｐ２側に第一ねじ挿通部１４または第二ねじ挿通部２８が配置され、それらのねじ挿通部と同軸に形成されると共に、開口部Ｐ１側に第二ねじ孔２７または第一ねじ孔１３が配置されている組み合わせの双方の組み合わせが設けられている。また、第一実施形態のコンセントボックス１Ａでは、筐体５に形成された開口部Ｐ１，Ｐ２の各々から、すなわち平面視において二方向（すなわち、第二部材１０Ａの側板２２Ａの外側から開口部Ｐ１に向かう方向と、側板２２Ｂの外側から開口部Ｐ２に向かう方向）から筐体５の内部の空間Ｓにアクセス可能になるので、筐体５の内部の空間Ｓにおける第一固定部４１と第二固定部４２とのねじ締めを二方向から行うことができる。
これにより、従来のように実際に筐体を取り付ける際になって初めて、筐体両側の開口部のうち片側、つまり一方向からのみねじ締めができないという事態を回避することができる。例えば、図４に示す配置構成において、第二部材２０Ａの外方から、開口部Ｐ１，Ｐ２のうち、作業者がねじ締めの作業を行うのに好適な開口部を通じて、各々のねじ締め部１２，２５において、第一ねじ挿通部１４と第二ねじ孔２７との組み合わせ、または第二ねじ挿通部２８と第一ねじ孔１３との組み合わせのうち、前述の好適な開口部側にねじ挿通部が位置する方の組み合わせでねじ締めを行うことができる。
【００３７】
また、第一実施形態のコンセントボックス１Ａによれば、第一部材１０に第一固定部４１が固定され、第二部材２０Ａに第二固定部４２が固定されているので、第一部材１０の底板１１を什器の天板１００の上面１００ａに固定し、次いで第二部材２０Ａを第一部材１０に取り付けて筐体５を組み立てる際に、筐体５の内部の空間Ｓにおける第一固定部４１と第二固定部４２とのねじ締めを二方向から行うことができる。これにより、第一部材１０に第二部材２０Ａを取り付ける作業を円滑に進めることができる。
【００３８】
（その他の実施形態）
本発明を適用したコンセントボックス１のコンセントボックス１Ａとは異なる実施形態としては、例えば図５（ａ），（ｂ）に示すように、第一部材１０は底板１１、第一固定部４１、および側面２３Ａ，２３Ｂを備え、第二部材２０Ｂは天板２１、側板２２Ａ，２２Ｂ、および第二固定部４２を備えていてもよい。本構成では、第二固定部４２は、側板２２Ａ，２２Ｂのそれぞれの内側の面の下部に、側板２２Ａ，２２Ｂの両側端部から所定の間隔だけ幅方向中央寄りの位置から内部の空間Ｓに突出した後、側板２２Ａ，２２Ｂに形成されている開口部Ｐに近づく方向に屈折するように、設けられている。
なお、図５（ａ），（ｂ）に示す構成要素のうち、図１から図４に示す構成要素と同一のものについては同じ符号を付し、説明は省略する。
【００３９】
本発明を適用したコンセントボックス１のさらに別の実施形態としては、例えば図６（ａ），（ｂ）に示すように、第一部材１０は底板１１および第一固定部４１Ａのみを備え、第二部材２０Ｃは天板２１、側板２２Ａ，２２Ｂ，２３Ａ，２３Ｂ、および第二固定部４２Ａのみを備えていてもよい。本構成では、平面視において第一固定部４１Ａが底板１１の中央付近に配置され、第二固定部４２Ａが第一固定部４１Ａに対応して天板２１の中央付近に配置されている。また、第二固定部４２Ａは天板２１から下方に突出する（すなわち、垂下する）ように設けられている。
【００４０】
本発明を適用したコンセントボックス１の他の実施形態としては、例えば図７（ａ），（ｂ）に示すように、第一実施形態における第二部材２０Ａの側板２３Ａ，２３Ｂが省略されていてもよい。
【００４１】
本発明を適用したコンセントボックス１のさらに他の実施形態としては、例えば図７（ａ），（ｂ）に示すように、図５（ｂ）に示す第一部材１０Ｂの側板２３Ａ，２３Ｂが省略されていてもよい。
また、例えば図８（ａ），（ｂ）に示すように、第一実施形態のコンセントボックス１Ａにおける第二部材２０Ａの側板２２Ｂ、天板２１、および側板２２Ａが一体的かつ側面視において上方に凸形状を有して湾曲するように形成された湾曲面２２Ｅに変更されてもよい。
【００４２】
以上、本発明の好ましい形態について詳述したが、本発明は上述の実施形態に限定されるものではなく、特許請求の範囲内に記載された本発明の要旨の範囲内において、種々の変形・変更が可能である。
【００４３】
例えば、第二固定部４２は、第二部材２０ではなくコンセント本体３０の取り付け部３３に設けられていてもよい。
【００４４】
また、上述の実施形態では、機能ボックスの一例としてコンセントボックスを例示して説明したが、機能ボックスの所定の機能はコンセント機能に限定されず、機能本体部もコンセント本体３０に限定されない。機能ボックスの他の例としては、所定の機能を表示機能とし、液晶、あるいは有機ＥＬ等からなる表示パネル（機能本体部）を埋設した表示ボックス等が挙げられる。
【００４５】
また、上述の実施形態では、開口部Ｐがコンセントボックス１の第二部材２０の互いに対向する側面２２Ａ，２２Ｂのそれぞれに形成されている、すなわち合計二つの開口部Ｐが形成されている例について説明したが、開口部Ｐは一つでもよく、三つ以上であってもよい。一例として、図９に示すように、平面視で第二部材２０の側面２２，２３の角部に開口部Ｐが一つ形成されていてもよい。このような構成であっても、平面視において二方向（すなわち、第二部材１０Ａの側板２２Ａの外側から開口部Ｐ１に向かう方向と、側板２３Ｂの外側から開口部Ｐを通り、側面２２Ｂに向かう紙面斜め方向）から筐体５の内部の空間Ｓにアクセス可能になるので、筐体５の内部の空間Ｓにおける第一固定部４１と第二固定部４２とのねじ締めを二方向から行うことができる。
【００４６】
さらに、本発明に係るコンセントボックス１を取り付け可能な什器はデスク装置に限定されるものではなく、デスク装置以外の他の什器や、壁構造に適用することも可能である。
【符号の説明】
【００４７】
１，１Ａ…コンセントボックス（機能ボックス）、１０，１０Ａ…第一部材（ベース部）、１３…第一ねじ孔、１４…第一ねじ挿通部、２７…第二ねじ孔、２８…第二ねじ挿通部、２０，２０Ａ…第二部材（本体部、取付機能部、筐体本体部）、３０…コンセント本体（取付機能部、機能本体部）、４１…第一固定部、４２…第二固定部、１００…天板、１００ａ…上面
【図１】
2018133970.tif 000003
【図２】
2018133970.tif 000004
【図３】
2018133970.tif 000005
【図４】
2018133970.tif 000006
【図５】
2018133970.tif 000007
【図６】
2018133970.tif 000008
【図７】
2018133970.tif 000009
【図８】
2018133970.tif 000010
【図９】
2018133970.tif 000011